(57)【特許請求の範囲】
【請求項１】
棚内に配設固定するものであって、収納体の両側部に夫々支持腕体を枢着し、この各支持腕体の先端部に棚の内面に設置固定する設置脚部を枢着し、この各設置脚部を棚の内面両側に固定して収納体を棚内に配設固定すると、前記各支持腕体の回動によりこの収納体を棚内からこの棚内底面よりも手前側下方へ下がった位置に引き出し配設できるように構成した棚配設用収納装置において、前記各支持腕体の先端部と前記各設置脚部との枢着部付近に、前記棚内から前記収納体を引き出しする際の前記各支持腕体の回動作動に強い抵抗を付与して引き出し作動を重くする抵抗付与機構を設けると共に、この抵抗付与機構は抵抗付与状態を解除して引き出し抵抗を弱くできるように構成し、この抵抗付与状態を解除して前記収納体を棚内より引き出しする際、収納体が最も手前側へ引き出される位置よりも少し前の位置に達したところで各支持腕体の引き出し回動作動に強い抵抗を付与して引き出し作動を重くする補助抵抗付与機構を備え、前記各支持腕体と前記各設置脚部との枢着部付近に夫々、前記棚内から引き出された前記収納体を棚内に格納しようとする方向に前記各支持腕体を回動付勢してこの収納体の引き出し作動を重くする弾性体としての渦巻き形バネを設け、この夫々の渦巻き形バネによる抵抗付与状態を解除し得る操作部を設置脚部に設けて前記抵抗付与機構を構成し、この抵抗付与機構を解除状態として前記収納体を棚内より引き出しする際に、前記各支持腕体の回動に伴って回動する前記渦巻き形バネの係止用端部が係止し得る係止杆部を前記各設置脚部若しくは前記各操作部に設けると共に、この各係止杆部は、収納体が最も手前側へ引き出される位置よりも少し前の位置に達したところで前記渦巻き形バネの係止用端部がこの係止杆部に係止して各支持腕体の引き出し回動作動に抵抗が付与される位置に設けて前記補助抵抗付与機構を構成したことを特徴とする棚配設用収納装置。
【請求項２】
棚内に配設固定するものであって、収納体の両側部に夫々支持腕体を枢着し、この各支持腕体の先端部に棚の内面に設置固定する設置脚部を枢着し、この各設置脚部を棚の内面両側に固定して収納体を棚内に配設固定すると、前記各支持腕体の回動によりこの収納体を棚内からこの棚内底面よりも手前側下方へ下がった位置に引き出し配設できるように構成した棚配設用収納装置において、前記各支持腕体の先端部と前記各設置脚部との枢着部付近に、前記棚内から前記収納体を引き出しする際の前記各支持腕体の回動作動に強い抵抗を付与して引き出し作動を重くする抵抗付与機構を設けると共に、この抵抗付与機構は抵抗付与状態を解除して引き出し抵抗を弱くできるように構成し、この抵抗付与状態を解除して前記収納体を棚内より引き出しする際、収納体が最も手前側へ引き出される位置よりも少し前の位置に達したところで各支持腕体の引き出し回動作動に強い抵抗を付与して引き出し作動を重くする補助抵抗付与機構を備え、前記各支持腕体と前記各設置脚部との枢着軸部に夫々、前記棚内から引き出された前記収納体を棚内に格納しようとする方向に前記各支持腕体を回動付勢してこの収納体の引き出し作動を重くする弾性体としての渦巻き形バネを設け、この夫々の渦巻き形バネによる抵抗付与状態を解除し得る操作部を設置脚部に設けて前記抵抗付与機構を構成し、この抵抗付与機構を解除状態として前記収納体を棚内より引き出しする際に、前記各支持腕体の枢着軸部に設けられてこの各支持腕体の回動に伴って回動する前記渦巻き形バネの係止用端部が係止し得る係止杆部を前記各設置脚部若しくは前記各操作部に設けると共に、この各係止杆部は、収納体が最も手前側へ引き出される位置よりも少し前の位置に達したところで前記渦巻き形バネの係止用端部がこの係止杆部に係止して各支持腕体の引き出し回動作動に抵抗が付与される位置に設けて前記補助抵抗付与機構を構成したことを特徴とする棚配設用収納装置。
【請求項３】
前記各支持腕体と前記各設置脚部との枢着軸部に夫々、前記弾性体として渦巻き形バネを設けて、この夫々の渦巻き形バネにより前記棚内から引き出された前記収納体を棚内に格納しようとする方向に前記各支持腕体が回動付勢されて収納体の引き出し作動が重くなるように構成し、この夫々の渦巻き形バネによる抵抗付与状態を解除し得る操作部を設置脚部に設けて前記抵抗付与機構を構成したことを特徴とする請求項１記載の棚配設用収納装置。
【請求項４】
前記各渦巻き形バネは、前記各枢着軸部の回動作動に伴って回動するように構成し、前記操作部は、前記各設置脚部に回動自在に枢着すると共に、この夫々の操作部に前記各渦巻き形バネの係止用端部を係止し得る係止部を設け、この係止部に前記渦巻き形バネの係止用端部を係止した状態では前記枢着軸部の回動作動に際し渦巻き形バネの回動が阻止されて前記支持腕体に対して回動抵抗が付与されることになり、この操作部を回動させて係止部から渦巻き形バネの係止用端部を係脱させた状態では枢着軸部の回動に際して渦巻き形バネも回動し得る解除状態となるように設けて前記抵抗付与機構を構成したことを特徴とする請求項１〜３のいずれか１項に記載の棚配設用収納装置。
【請求項５】
前記抵抗付与機構を解除状態として前記収納体を棚内より引き出しする際に、前記各支持腕体の枢着軸部に設けられてこの各支持腕体の回動に伴って回動する前記渦巻き形バネの係止用端部が係止し得る係止杆部を前記各設置脚部若しくは前記各操作部に設けると共に、この各係止杆部は、収納体が最も手前側へ引き出される位置よりも少し前の位置に達したところで前記渦巻き形バネの係止用端部がこの係止杆部に係止して各支持腕体の引き出し回動作動に抵抗が付与される位置に設けて前記補助抵抗付与機構を構成したことを特徴とする請求項１，３，４のいずれか１項に記載の棚配設用収納装置。
【請求項６】
前記操作部を回動して前記係止部から前記渦巻き形バネの係止用端部を係脱させて前記収納体を棚内より引き出しする際に、前記支持腕体の引き出し回動作動に伴って回動する渦巻き形バネの係止用端部が、収納体が最も手前側へ引き出される位置よりも少し前の位置に達したところで再び係止し得る係止杆部を前記各設置脚部若しくは前記各操作部に設けて、前記補助抵抗付与機構を構成したことを特徴とする請求項１〜５のいずれか１項に記載の棚配設用収納装置。
【請求項７】
前記係止杆部は、前記操作部の回動軸を延設形成したこの延設軸部で構成したことを特徴とする請求項１〜６のいずれか１項に記載の棚配設用収納装置。
【発明の詳細な説明】
【０００１】
【発明の属する技術分野】
本発明は、例えば、キッチンの流し台の上方に備えられている棚内に設置して使用するものであって、食器などの収納物を収納したり取り出したい場合には、棚内より収納体を手前に引き出して使用することができる棚配設用収納装置に関するものである。
【０００２】
【従来の技術及び発明が解決しようとする課題】
従来から、収納体の左右側部に支持腕体を枢着し、この各支持腕体の先端部に棚内面に設置固定する設置脚を枢着し、この各設置脚を棚内の左右両側内面に固定して収納体を棚内に配設固定すると、前記支持腕体の回動によりこの収納体を棚内から引き出して、この棚内の底面よりも手前側下方へ下がった位置に引き出し配設できるように構成した棚配設用収納装置が実施されている。
【０００３】
また、最近の棚配設用収納装置は、棚内から収納体がいきなり飛び出してこないように、引き出し作動に抵抗があってゆっくりと収納体が出てくるように構成されており、更には、収納体内の収納量に応じてこの引き出し抵抗を更に強くすることができる抵抗付与機構を備えたものも実施されてきている。
【０００４】
即ち、例えば、この収納体内にたくさんの収納物が収納されていて収納体の重量が重くなっているような場合には、引き出し抵抗が弱いと収納体が自重によって勢いよく飛び出してきて非常に危険であるので、このような場合に前記抵抗付与機構によって更に強い引き出し抵抗を与えてより安全に使用することができるように構成されているものもある。
【０００５】
本発明は、このような従来の抵抗付与機構付の棚配設用収納装置の安全性を更に追求したもので、収納体が重くなっている場合に抵抗付与機構による強い引き出し抵抗を付与し忘れて引き出しても、収納体が最も手前側へ引き出される位置よりも少し前の位置に達したところで確実に各支持腕体の引き出し回動作動に強い抵抗が付与されて収納体が勢い良く飛び出すことが確実に防止されることになる極めて実用性に秀れた画期的な棚配設用収納装置を提供するものである。
【０００６】
【課題を解決するための手段】
添付図面を参照して本発明の要旨を説明する。
棚１内に配設固定するものであって、収納体２の両側部に夫々支持腕体３を枢着し、この各支持腕体３の先端部に棚１の内面に設置固定する設置脚部４を枢着し、この各設置脚部４を棚１の内面両側に固定して収納体２を棚１内に配設固定すると、前記各支持腕体３の回動によりこの収納体２を棚１内からこの棚１内底面よりも手前側下方へ下がった位置に引き出し配設できるように構成した棚配設用収納装置において、前記各支持腕体３の先端部と前記各設置脚部４との枢着部付近に、前記棚１内から前記収納体２を引き出しする際の前記各支持腕体３の回動作動に強い抵抗を付与して引き出し作動を重くする抵抗付与機構５を設けると共に、この抵抗付与機構５は抵抗付与状態を解除して引き出し抵抗を弱くできるように構成し、この抵抗付与状態を解除して前記収納体２を棚１内より引き出しする際、収納体２が最も手前側へ引き出される位置よりも少し前の位置に達したところで各支持腕体３の引き出し回動作動に強い抵抗を付与して引き出し作動を重くする補助抵抗付与機構６を備え、前記各支持腕体３と前記各設置脚部４との枢着部付近に夫々、前記棚１内から引き出された前記収納体２を棚１内に格納しようとする方向に前記各支持腕体３を回動付勢してこの収納体２の引き出し作動を重くする弾性体８としての渦巻き形バネ８を設け、この夫々の渦巻き形バネ８による抵抗付与状態を解除し得る操作部９を設置脚部４に設けて前記抵抗付与機構５を構成し、この抵抗付与機構５を解除状態として前記収納体２を棚１内より引き出しする際に、前記各支持腕体３の回動に伴って回動する前記渦巻き形バネ８の係止用端部８Ａが係止し得る係止杆部11を前記各設置脚部４若しくは前記各操作部９に設けると共に、この各係止杆部11は、収納体２が最も手前側へ引き出される位置よりも少し前の位置に達したところで前記渦巻き形バネ８の係止用端部８Ａがこの係止杆部11に係止して各支持腕体３の引き出し回動作動に抵抗が付与される位置に設けて前記補助抵抗付与機構６を構成したことを特徴とする棚配設用収納装置に係るものである。
【０００７】
また、棚１内に配設固定するものであって、収納体２の両側部に夫々支持腕体３を枢着し、この各支持腕体３の先端部に棚１の内面に設置固定する設置脚部４を枢着し、この各設置脚部４を棚１の内面両側に固定して収納体２を棚１内に配設固定すると、前記各支持腕体３の回動によりこの収納体２を棚１内からこの棚１内底面よりも手前側下方へ下がった位置に引き出し配設できるように構成した棚配設用収納装置において、前記各支持腕体３の先端部と前記各設置脚部４との枢着部付近に、前記棚１内から前記収納体２を引き出しする際の前記各支持腕体３の回動作動に強い抵抗を付与して引き出し作動を重くする抵抗付与機構５を設けると共に、この抵抗付与機構５は抵抗付与状態を解除して引き出し抵抗を弱くできるように構成し、この抵抗付与状態を解除して前記収納体２を棚１内より引き出しする際、収納体２が最も手前側へ引き出される位置よりも少し前の位置に達したところで各支持腕体３の引き出し回動作動に強い抵抗を付与して引き出し作動を重くする補助抵抗付与機構６を備え、前記各支持腕体３と前記各設置脚部４との枢着軸部７に夫々、前記棚１内から引き出された前記収納体２を棚１内に格納しようとする方向に前記各支持腕体３を回動付勢してこの収納体２の引き出し作動を重くする弾性体８としての渦巻き形バネ８を設け、この夫々の渦巻き形バネ８による抵抗付与状態を解除し得る操作部９を設置脚部４に設けて前記抵抗付与機構５を構成し、この抵抗付与機構５を解除状態として前記収納体２を棚１内より引き出しする際に、前記各支持腕体３の枢着軸部７に設けられてこの各支持腕体３の回動に伴って回動する前記渦巻き形バネ８の係止用端部８Ａが係止し得る係止杆部11を前記各設置脚部４若しくは前記各操作部９に設けると共に、この各係止杆部11は、収納体２が最も手前側へ引き出される位置よりも少し前の位置に達したところで前記渦巻き形バネ８の係止用端部８Ａがこの係止杆部11に係止して各支持腕体３の引き出し回動作動に抵抗が付与される位置に設けて前記補助抵抗付与機構６を構成したことを特徴とする棚配設用収納装置に係るものである。
【０００８】
また、前記各支持腕体３と前記各設置脚部４との枢着軸部７に夫々、前記弾性体８として渦巻き形バネ８を設けて、この夫々の渦巻き形バネ８により前記棚１内から引き出された前記収納体２を棚１内に格納しようとする方向に前記各支持腕体３が回動付勢されて収納体２の引き出し作動が重くなるように構成し、この夫々の渦巻き形バネ８による抵抗付与状態を解除し得る操作部９を設置脚部４に設けて前記抵抗付与機構５を構成したことを特徴とする請求項１記載の棚配設用収納装置に係るものである。
【０００９】
また、前記各渦巻き形バネ８は、前記各枢着軸部７の回動作動に伴って回動するように構成し、前記操作部９は、前記各設置脚部４に回動自在に枢着すると共に、この夫々の操作部９に前記各渦巻き形バネ８の係止用端部８Ａを係止し得る係止部10を設け、この係止部10に前記渦巻き形バネ８の係止用端部８Ａを係止した状態では前記枢着軸部７の回動作動に際し渦巻き形バネ８の回動が阻止されて前記支持腕体３に対して回動抵抗が付与されることになり、この操作部９を回動させて係止部10から渦巻き形バネ８の係止用端部８Ａを係脱させた状態では枢着軸部７の回動に際して渦巻き形バネ８も回動し得る解除状態となるように設けて前記抵抗付与機構５を構成したことを特徴とする請求項１〜３のいずれか１項に記載の棚配設用収納装置に係るものである。
【００１０】
また、前記抵抗付与機構５を解除状態として前記収納体２を棚１内より引き出しする際に、前記各支持腕体３の枢着軸部７に設けられてこの各支持腕体３の回動に伴って回動する前記渦巻き形バネ８の係止用端部８Ａが係止し得る係止杆部11を前記各設置脚部４若しくは前記各操作部９に設けると共に、この各係止杆部11は、収納体２が最も手前側へ引き出される位置よりも少し前の位置に達したところで前記渦巻き形バネ８の係止用端部８Ａがこの係止杆部11に係止して各支持腕体３の引き出し回動作動に抵抗が付与される位置に設けて前記補助抵抗付与機構６を構成したことを特徴とする請求項１，３，４のいずれか１項に記載の棚配設用収納装置に係るものである。
【００１１】
また、前記操作部９を回動して前記係止部10から前記渦巻き形バネ８の係止用端部８Ａを係脱させて前記収納体２を棚１内より引き出しする際に、前記支持腕体３の引き出し回動作動に伴って回動する渦巻き形バネ８の係止用端部８Ａが、収納体２が最も手前側へ引き出される位置よりも少し前の位置に達したところで再び係止し得る係止杆部11を前記各設置脚部４若しくは前記各操作部９に設けて、前記補助抵抗付与機構６を構成したことを特徴とする請求項１〜５のいずれか１項に記載の棚配設用収納装置に係るものである。
【００１２】
また、前記係止杆部11は、前記操作部９の回動軸12を延設形成したこの延設軸部で構成したことを特徴とする請求項１〜６のいずれか１項に記載の棚配設用収納装置に係るものである。
【００１３】
【発明の実施の形態】
好適と考える本発明の実施の形態（発明をどのように実施するか）を、図面に基づいてその作用効果を示して簡単に説明する。
【００１４】
設置脚部４を介して棚１内に固定した本装置の収納体２を棚１内から引き出す際には、収納体２内への収納量（収納体２の重さ）に応じて、抵抗付与機構５により各支持腕体３の回動作動に強い抵抗が付与されて引き出し作動が重くなっている状態と、抵抗付与機構５を解除して収納体２の引き出し抵抗を弱くした状態とを任意に選択することができる。
【００１５】
即ち、抵抗付与機構５により各支持腕体３の回動作動に強い抵抗が付与されている状態では、収納体２の引き出し操作に強い力が必要になると共にこの収納体２はゆっくりとした動作で引き出されることになり、抵抗付与機構５を解除した状態では、収納体２の引き出し操作に弱い力を要するだけで良いと共にこの収納体２は早い動作で引き出されることになる。
【００１６】
また、抵抗付与機構５を解除した状態で、収納体２を棚１内から引き出すと途中までは軽く（早く）引き出されるが、収納体２が最も手前側へ引き出される位置よりも少し前の位置に達したところで、補助抵抗付与機構６によって各支持腕体３の引き出し回動作動に強い抵抗が付与されて引き出し動作が重く（遅く）なる。
【００１７】
従って、例えば、収納体２内の収納量が多く重くなっているにもかかわらず、抵抗付与機構５による抵抗を付与し忘れて収納体２を引き出した場合であっても、補助抵抗付与機構６によって収納体２が最も手前側へ引き出されることになる前に強い抵抗が付与されて収納体２の引き出しの勢いが緩和されることになるから、収納体２が勢い良く飛び出すことが確実に防止されて極めて秀れた安全性を発揮することになる画期的な棚配設用収納装置となる。
【実施例】
本発明の具体的な実施例について図面に基づいて説明する。
【００１８】
本実施例の収納体２は、図１，図２に示すような方形箱型に構成している。また、この収納体２の下部前方に引き出し用取手13を設けている。
【００１９】
また、この収納体２の左右夫々の側面部に、片側前後二体ずつ計四体の支持腕体３を枢着し、この左右片側二体ずつの支持腕体３の先端部を設置脚部４に枢着して平行リンク機構14を構成している。即ち、この平行リンク機構14の回動により、図２に示すように棚１内底面に固定した左右一対の設置脚部４に対して収納体２が角度を変えずに引き出し入れ作動するように構成している。
【００２０】
本実施例の設置脚部４は、図１，図２に示すように棚１内の左右両側部位置に固定する棚側固定体４Ａと、収納体２の左右両側の支持腕体２の先端部に枢着されてこの棚側固定体４Ａに対して着脱連結可能な収納体側固定体４Ｂとから成る構成とし、詳しく図示していないが、この棚側固定体４Ａの後部と収納体側固定体４Ｂの後部とを互いに引っ掛け係止するだけの係止構造とすると共に、棚側固定体４Ａの前部と収納体側固定体４Ｂの前部とを互いに螺着する連結構造としている。
【００２１】
また、この左右一対の設置脚部４は、内側の収納体側固定体４Ｂの後部間に連結桟杆15を架設して左右の収納体側固定体４Ｂを一体的に構成している。従って、このように左右の収納体側固定体４Ｂを一体化したことにより、棚１内の左右両側部位置に固定された棚側固定体４Ａに対する連結作業が容易に行えることになる。
【００２２】
また、本実施例では、収納体２の前側（図１における左側）左右に位置している支持腕体３の先端部（下端部）に夫々取付板部３Ａを形成し、この左右の取付板部３Ａ間に取付杆16を架設している。
【００２３】
そして、本実施例では、図３に示すようにこの取付杆16と前記連結桟杆15との間の左右二箇所に抗張弾性を有する弾性体17（コイルバネ）を架設し、この左右の弾性体17により収納体２を棚１内から引き出そうとする際に抵抗が付与されるように構成している。
【００２４】
また、本実施例では、この収納体２の前側左右に位置している夫々の支持腕体３の先端の枢着部内側にダンパー装置18を設けて、このダンパー装置18により収納体２を棚１内から引き出そうとする際に抵抗が付与されるように構成している。尚、このダンパー装置18は既に周知な構造であって適宜設計変更し得るものであるため、その構造並びに取付構造を図示することや詳しく説明することは省略する。
【００２５】
即ち、本実施例では、前記弾性体17とダンパー装置18とによる標準抵抗構造Ａによって収納体２を引き出しする際の前記各支持腕体３の回動作動に抵抗を付与し、引き出し作動を重く（遅く）して収納体２が勢い良く飛び出しすことを防止している。
【００２６】
本実施例では、前記各支持腕体３の先端部と前記各設置脚部４との枢着部付近に、前記棚１内から前記収納体２を引き出しする際の前記各支持腕体３の回動作動に強い抵抗を付与して引き出し作動を重くする抵抗付与機構５を設けると共に、この抵抗付与機構５は抵抗付与状態を解除して引き出し抵抗を弱くできるように構成している。
【００２７】
具体的には、この抵抗付与機構５によって前記弾性体17とダンパー装置18とによる標準抵抗構造Ａに加えて更に強い引き出し回動抵抗が付与され、この抵抗付与機構５による抵抗付与状態を解除すると前記標準抵抗構造Ａによる抵抗だけが付与されることになる構成としている。
【００２８】
この抵抗付与機構５について説明すると、前記各支持腕体３と前記各設置脚部４との枢着軸部７に夫々、前記棚１内から引き出された前記収納体２を棚１内に格納しようとする方向に前記各支持腕体３を回動付勢してこの収納体２の引き出し作動を重くする弾性体８を設け、この夫々の弾性体８による抵抗付与状態を解除し得る操作部９を設置脚部４に設けている。
【００２９】
具体的には、前側左右の各支持腕体３と前記一対の前記各収納体側固定体４Ｂとの夫々の枢着軸部７位置であって、且つこの各収納体側固定体４Ｂの対向外側位置に弾性体８としての渦巻き形バネ８を設けている。
【００３０】
更に説明すると、図４に示すように左右の各支持腕体３先端の取付板部３Ａに取付孔19を形成し、この取付孔19に軸部材20の嵌挿部20Ａを嵌挿している。また、この軸部材20は左右夫々の収納体側固定体４Ｂの外側からこの収納体側固定体４Ｂを介して収納体側固定体４Ｂの内側に位置する左右の各支持腕体３先端の前記取付孔19に嵌挿した構成とすると共に、この軸部材20は収納体側固定体４Ｂに対して回動可能に設けて前記枢着軸部７を構成している。尚、詳しく図示していないが、この軸部材20の嵌挿部20Ａに前記取付板部３Ａの内側から前記ダンパー装置18を連結して、このダンパー装置18による回動抵抗が前記支持腕体３に付与されるように構成している。
【００３１】
また、この取付孔19は、上下部に凹設部を有する変形形状とし、一方、前記軸部材20の嵌挿部20Ａを取付孔19に形状に合わせて上下部に凸設部を有する形状として、この取付孔19に軸部材20の嵌挿部20Ａを嵌挿すると取付孔19に対して軸部材20が回り止め状態となるように構成している。即ち、支持腕体３の回動作動に伴ってこの軸部材20も回動するように構成している。
【００３２】
また、この軸部材20の嵌挿部20Ａの反対側中心部には螺子穴20Ｂを形成すると共に、この螺子穴20Ｂの周囲にバネ受部材22を当接支承する支承面部20Ｃを形成している。
【００３３】
そして、この支承面部20Ｃに当接支承した前記バネ受部材22は、中心を貫通させて螺子通し孔22Ａが形成してあり、この螺子通し孔22Ａに取付螺子21を嵌挿させて、この取付螺子21の先端を軸部材20の前記螺子穴20Ｂに螺着することで軸部材20にバネ受部材22を固定し、この軸部材20の回動作動に伴ってバネ受部材22も回動するように構成している。
【００３４】
また、このバネ受部材22の外周部には、前記渦巻き形バネ８を被嵌装着すると共に、このバネ受部材22の外周面に係止溝22Ｂを形成して、この係止溝22Ｂに渦巻き形バネ８の内側端部８Ｂを係止することでバネ受部材22に対して渦巻き形バネ８が回り止め状態で被嵌装着される構成としている。
【００３５】
従って、前記支持腕体３が回動すると、これに伴い軸部材20並びにバネ受部材22が回動して、渦巻き形バネ８も回動することになる構成としている。
【００３６】
また、本実施例の渦巻き形バネ８は、外側端部をフック形状に形成してこのフック状端部を係止用端部８Ａとしている。
【００３７】
また、本実施例では、前記枢着軸部７並びにバネ受部材22を、前記収納体側固定体４Ｂの外側面に設けた板状のカバー体24で被覆すると共に、このカバー体24でバネ受部材22の外端部を枢支し、枢着軸部７並びにバネ受部材22の回動作動がスムーズに行われるように構成している。
【００３８】
操作部９は、各図に示したような三方向に突設片を有する所定形状の板材で構成し、この操作部９の三方向の突設片のうちの長く真っすぐに突出している突設片の先端にゴムキャップを被覆してこれを操作用レバー９Ａとしている。
【００３９】
また、この操作部９は、その略中心部を前記各収納体側固定体４Ｂの外側に向けて突設した回動軸12に回動自在に枢着すると共に、前記操作レバー９Ａを、前記設置脚部４の前部に設けたレバーガイド孔26からこの設置脚部４の前方に突設して、この操作レバー９Ａを上下方向に回動操作し得るように構成している。図中符号27は回動軸12を収納体側固定体４Ｂに固定するためのナットである。
【００４０】
本実施例では、この夫々の操作部９に前記各渦巻き形バネ８の係止用端部８Ａを係止し得る係止部10を設けている。
【００４１】
具体的には、図５において、前記回動軸12より上方側となる操作部９の上縁部に、前記フック状の係止用端部８Ａが係止し得る突片を連設状態に突設してこの突片を前記係止部10としている。
【００４２】
また、この係止部10は、前記操作レバー９Ａを上動回動させると、図６に示すように前記渦巻き形バネ８の係止用端部８Ａが係止し得るように構成し、この係止部10に係止用端部８Ａを係止した状態では、前記枢着軸部７の回動作動に際し渦巻き形バネ８の回動が阻止されて収納体２の引き出し時に前記支持腕体３に対して渦巻き形バネ８の付勢力による回動抵抗が付与されることになる構成としている。
【００４３】
また、逆に操作レバー９Ａを下動回動させると、図７に示すように係止部10から渦巻き形バネ８の係止用端部８Ａが係脱してこの状態では枢着軸部７の回動に際し渦巻き形バネ８も回動し得るように構成し、この状態では収納体２の引き出し時に前記支持腕体３に対して渦巻き形バネ８の抵抗が付与されない解除状態となるように構成している。
【００４４】
また、本実施例では、前記操作部９が前記抵抗付与機構５を利かせた状態（抵抗付与状態）と解除状態とに位置決めされるように構成している。
【００４５】
具体的には、操作部９のＬ形突設片と、前記収納体側固定体４Ｂの外側面の所定の位置とに取付突体25を突設し、この各取付突体25に弾性体23（ねじりバネ）の両端部を固定して各取付突体25間に弾性体23を介在し、この弾性体23の外側に開こうとする付勢力によって上記作用効果が得られるように構成している。
【００４６】
従って、勝手に抵抗付与機構５の抵抗付与状態が解除されたりすることがなく極めて実用的となり、しかもこの操作部９の位置決め構造は簡易に設計実現可能な構成であって量産性に秀れ安価に構成可能となる。
【００４７】
また、本実施例では、この抵抗付与機構５の抵抗付与状態を解除して前記収納体２を棚１内より引き出しする際、収納体２が最も手前側へ引き出される位置よりも少し前の位置に達したところで各支持腕体３の引き出し回動作動に強い抵抗を付与して引き出し作動を重くする補助抵抗付与機構６を備えた構成としている。
【００４８】
この補助抵抗付与機構６について説明すると、前記操作部９を回動して前記係止部10から前記渦巻き形バネ８の係止用端部８Ａを係脱した状態で、前記収納体２を棚１内より引き出しすると、前記支持腕体３の引き出し回動作動に伴って回動する渦巻き形バネ８の係止用端部８Ａが、収納体２が最も手前側へ引き出される位置よりも少し前の位置に達したところで再び係止し得る係止杆部11を前記各操作部９に設けている。
【００４９】
更に具体的に説明すると、前記操作部９の回動軸12を前記設置脚部４（収納体側固定体４Ｂ）の対向外側に向かって延設形成し、この延設軸部を前記係止杆部11としている。
【００５０】
従って、前記抵抗付与機構５の抵抗付与状態を解除して前記収納体２を棚１内から引き出した場合においても、引き出し当初は軽く（早く）引き出されるが、収納体２が最も手前側へ引き出される位置よりも少し前の位置に達したところで図８に示すように支持腕体３と共に回動する渦巻き形バネ８の係止用端部８Ａが係止杆部11に係止して支持腕体３に強い回動抵抗が付与され、引き出しの勢いが緩和される（遅くなる）ように構成している。
【００５１】
従って、本実施例では上述のように構成したから、前記標準抵抗構造Ａによる引き出し抵抗に加えて抵抗付与機構５を利かせた更に強い引き出し抵抗が付与された状態と、抵抗付与状態を解除した前記標準抵抗構造Ａだけの弱い抵抗付与状態とに切り替え操作できるので、収納体２内の収納量（収納体２の重さ）に応じてこの抵抗付与機構５を切り替えすることで、引き出し作業を安全に行うことができる。
【００５２】
また、抵抗付与機構５を左右二箇所に設けているから、左右の抵抗付与機構５の抵抗付与状態を解除した状態と、左右いずれか一方の抵抗付与機構５を利かせた状態と、左右双方の抵抗付与機構５を利かせた状態との三段階に収納体２の引き出し抵抗（作動速度）を調整設定することができるので、実用性に秀れる。
【００５３】
しかも、通常、前記標準抵抗構造Ａが利いているので前記収納体２が勢い良く飛び出してしまう危険性が少ない上に、収納体２が重くなっていて抵抗付与機構５を利かせ忘れた場合でも、補助抵抗付与機構６によって確実に引き出し時の勢いが緩和されるので、非常に安全性の高い秀れた構成となる。
【００５４】
【発明の効果】
本発明は上述のように構成したから、設置脚部を介して棚内に固定した本装置の収納体を棚内から引き出す際には、収納体内への収納量（収納体の重さ）に応じて、抵抗付与機構により各支持腕体の回動作動に強い抵抗が付与されて引き出し作動が重くなっている状態と、抵抗付与状態を解除して収納体の引き出し抵抗を弱くした状態とを任意に選択することができ、しかも本発明では、抵抗付与機構を解除した状態で収納体を棚内から引き出すと、収納体が最も手前側へ引き出される位置よりも少し前の位置に達したところで、補助抵抗付与機構によって各支持腕体の引き出し回動作動に強い抵抗が付与されるように構成したから、例えば、収納体内の収納量が多く重くなっているにもかかわらず、抵抗付与機構による抵抗を付与し忘れて収納体を引き出した場合であっても、補助抵抗付与機構によって収納体が最も手前側へ引き出されることになる前に強い抵抗が付与されて収納体の引き出しの勢いが緩和されることになるから、収納体が勢い良く飛び出すことが確実に防止されて極めて秀れた安全性を発揮することになるなど極めて実用性に秀れた画期的な棚配設用収納装置となる。
【００５５】
また、請求項１，２，３記載の発明においては、前記作用効果を確実に発揮する抵抗付与機構を既存の渦巻きバネを利用した簡易構成にして容易に設計実現可能となり、量産性に秀れ安価に構成可能となる極めて実用性に秀れた棚配設用収納装置となる。
【００５６】
また、請求項４記載の発明においては、前記作用効果を確実に発揮する抵抗付与機構を一層簡易構成にして容易に設計実現可能となる極めて実用性に秀れた棚配設用収納装置となる。
【００５７】
また、請求項１，２，５，６記載の発明においては、前記作用効果を確実に発揮する補助抵抗付与機構を簡易構成にして容易に設計実現可能となり、一層量産性に秀れ安価に構成可能となる極めて実用性に秀れた棚配設用収納装置となる。
【００５８】
また、請求項７記載の発明においては、操作部の回動軸を係止杆部とした合理的な構造としているため、補助抵抗付与機構を構成するにあたって新たに係止杆部を増設する必要がなく、一層簡易に構成可能となる極めて実用性に秀れた構成の棚配設用収納装置となる。
【図面の簡単な説明】
【図１】  本実施例の使用状態における棚内に収納配設した状態を示す説明図である。
【図２】  図１の状態から収納体を棚外へ引き出し配設した状態を示す説明図である。
【図３】  本実施例の標準抵抗構造を示す説明図である。
【図４】  本実施例の要部を示す拡大説明分解斜視図である。
【図５】  本実施例の要部を示す拡大説明斜視図である。
【図６】  本実施例の収納体を棚外へ引き出した状態において抵抗付与機構を利かせた状態（抵抗付与状態）を示す要部拡大説明図である。
【図７】  本実施例の収納体を棚内に収納した状態において抵抗付与機構を解除した状態を示す要部拡大説明図である。
【図８】  本実施例の補助抵抗付与機構を示す要部拡大説明図である。
【符号の説明】
１  棚
２  収納体
３  支持腕体
４  設置脚部
５  抵抗付与機構
６  補助抵抗付与機構
７  枢着軸部
８  弾性体（渦巻き形バネ）
８Ａ  係止用端部
９  操作部
10  係止部
11  係止杆部
12  回動軸
【図１】
0003637253.tif 000002
【図２】
0003637253.tif 000003
【図３】
0003637253.tif 000004
【図４】
0003637253.tif 000005
【図５】
0003637253.tif 000006
【図６】
0003637253.tif 000007
【図７】
0003637253.tif 000008
【図８】
0003637253.tif 000009